(57)【要約】      （修正有）【課題】掃除機本体に連結し、寝具類に付着したほこりや毛羽は勿論、特に、ダニのような異物をきれいに吸入収去するのに好適な真空掃除機用ダニ捕集装置を提供する。【解決手段】下部ケース１００と、空気を一方向に案内するリードカバー２００と、上部ケース３００と、ほこり容器４００と、ほこり容器内のフィルタ５００とを備え、上部ケース３００のフロントカバー３３０とリードカバー２００との間には密閉空間を形成し、上部ケース３００とリードカバー２００には密閉空間と連通する少なくとも一つ以上の孔３３１、２０１をそれぞれに形成した構造とすることで、密封空間内の空気が渦流循環を経った後に間接吸入され、掃除機本体から作用する吸入力が分散し、寝具類表面の吸着現象なしに、ダニのような異物を効果的に除去できる。【選択図】図２
2016067370.tif 000002
【特許請求の範囲】
【請求項１】
中央部に収容溝が形成され、前記中央部に隣接した一側に底面で開放された吸入孔が形成され、前記中央部に隣接した他側に締結管挿入部が形成された下部ケースと、
前記吸入孔の上面を覆ってその吸入孔を通じて底面から吸入される空気を一方向に案内するリードカバーと、
中央部に前記収容溝に対応する収容孔が形成され、前記リードカバーを含む前記下部ケースを覆う上部ケースと、
前記収容孔を通じて前記収容溝に安着されるが、一側には前記締結管挿入部を通じて挿入された締結管の端部と連結される排出油路が形成され、他側には前記リードカバーによって案内された空気を吸いこむ吸入油路が形成されたほこり容器と、及び
前記ほこり容器内に前記排出流路を通じて挿入設置され、その排出流路を通じて前記ほこり容器の外部に排出される空気をフィルタリングするフィルタを含んで、
前記上部ケースと前記リードカバーとの間には密閉空間が形成され、前記上部ケースと前記リードカバーには前記密閉空間と通じる少なくても一つ以上の孔がそれぞれ形成され、
前記密閉対応する前記上部ケースの部分は、前記密閉空間を開放する開放口が形成されていて、前記開放口を覆うフロントカバーが設置され、前記密閉空間と通じる前記少なくとも一つ以上の孔が前記フロントカバーに形成されたことと、
を特徴とする渦流現象を応用したほこり収去容器が装着された真空掃除機用ダニ捕執装置。
【請求項２】
前記吸入孔、前記上部ケースに形成された前記孔、及び前記リードカバーに形成された前記孔の順序で孔の大きさが相対的に小さく形成されたことを特徴とする請求項１に記載の渦流現象を応用したほこり収去容器が装着された真空掃除機用ダニ捕執装置。
【請求項３】
前記フィルタは、メッシュフィルタとＨＥＰＡフィルタを含む二重フィルタで構成されたことを特徴とする請求項１に記載の渦流現象を応用したほこり収去容器が装着された真空掃除機用ダニ捕執装置。
【発明の詳細な説明】
【技術分野】
【０００１】
本発明は、真空掃除機用ダニ捕執装置に関するものであり、より詳細には、真空清掃機の吸入口に連結されて寝具類に付着した微細ほこりや毛羽と共に、特に、ダニのような異物をきれいに吸入収去するのに好適な真空掃除機用ダニ捕執装置に関するものであり、特に、渦流現象を応用したほこり収去容器が装着された真空掃除機用ダニ捕執装置に関するものである。
【背景技術】
【０００２】
一般に、真空清掃機は、本体上に設置されたファンによって発生される吸入力を利用してほこりを吸いこむ掃除器具であり、使用が簡便で掃除効率が優秀な利点によって家庭の必須家電製品として使用されている。
【０００３】
しかし、従来の真空清掃機によれば本体の吸入力によって流入されたほこりはフィルタに濾過された状態で空気と分離されて別に捕執されるが、この時フィルタは、空気の通過は速かになされながらほこりは通過することができずに濾過されるようにメッシュ(mesh)構造を有するので、メッシュの孔大きさより小さな０．３μm未満の微細ほこりは、大部分が室内空気中に排出される問題点があった。
【０００４】
また、従来の真空清掃機を使って寝具類を掃除する場合には寝具類の表面纎維が吸入ノズルの吸入口内に吸い込まれて掃除が難しくなるので寝具類に付着されたほこり、毛羽及び/またはダニのような異物をきれいに吸いこんで除去することができない問題点があった。
【発明の概要】
【発明が解決しようとする課題】
【０００５】
本発明は、前記のような従来の問題点を解決するためのものであり、その目的は、真空清掃機に連結されて寝具類に付着された異物を渦流現象を応用して寝具類表面の吸着現象なしに効果的に除去することができるようにして、真空清掃機の本体に異物が流入される前に微細ほこりなどを１次的に濾過して捕執するが、捕執されたほこりは易しく分離及び洗滌が可能にさせる、渦流現象を応用したほこり収去容器が装着された真空掃除機用ダニ捕執装置を提供しようとするものである。
【課題を解決するための手段】
【０００６】
前記のような目的を達成するために本発明の一側面による渦流現象を応用したほこり収去容器が装着された真空掃除機用ダニ捕執装置は、中央部に収容溝が形成され、前記中央部に隣接した一側に底面で開放された吸入孔が形成され、前記中央部に隣接した他側に締結管挿入部が形成された下部ケースと、前記吸入孔の上面を覆ってその吸入孔を通じて底面から吸入される空気を一方向に案内するリードカバーと、中央部に前記収容溝に対応する収容孔が形成され、前記リードカバーを含む前記下部ケースを覆う上部ケースと、前記収容孔を通じて前記収容溝に安着されるが、一側には前記締結管挿入部を通じて挿入された締結管の端部と連結される排出油路が形成され、他側には前記リードカバーによって案内された空気を吸いこむ吸入油路が形成されたほこり容器と、及び前記ほこり容器内に前記排出流路を通じて挿入設置されて、その排出流路を通じて前記ほこり容器の外部に排出される空気をフィルタリングするフィルタを含むことができるし、前記上部ケースと前記リードカバーとの間には密閉空間が形成され、前記上部ケースと前記リードカバーには前記密閉空間と通じる少なくても一つ以上の孔がそれぞれ形成されることができる。
【０００７】
前記密閉空間に対応する前記上部ケースの部分は、前記密閉空間を開放する開放口が形成されることができるし、前記開放口を覆うフロントカバーが設置されることができるし、前記密閉空間と通じる前記少なくとも一つ以上の孔が前記フロントカバーに形成されることができる。また、前記吸入口、前記上部ケースに形成された前記孔、及び前記リードカバーに形成された前記孔の順序で孔の大きさが相対的に小さく形成されることができる。前記フィルタはメッシュフィルタとＨＥＰＡフィルタを含む二重フィルタで構成されることができる。
【発明の効果】
【０００８】
以上で説明したように本発明の一側面によれば、真空清掃機に連結されて寝具類に付着したほこりや毛羽などは勿論であり、特に、ダニのような異物を寝具類表面の吸着現象なしに効果的に除去することができて、真空清掃機の本体に異物が流入される前に微細ほこりなどを１次的に濾過して捕執し、捕執されたほこりは易しく分離及び洗滌が可能であるので、小さな微細ほこりが室内空気中に排出されない効果がある。
【図面の簡単な説明】
【０００９】
【図１】本発明の一実施例による渦流現象を応用したほこり収去容器が装着された真空掃除機用ダニ捕執装置の外観斜視図である。
【図２】図１の分解斜視図である。
【図３】図１のＡ-Ａ線断面図である。
【図４】図１のＢ-Ｂ線断面図である。
【発明を実施するための形態】
【００１０】
以下、添付図面を参照して本発明の実施例に対して具体的に説明する。各図面の構成要素らに参照符号を付け加えることにおいて、同一な構成要素らに対しては、たとえ他の図面上に表示されてもできるだけ同一な符号を有するようにしたし、また、本発明の実施例に対する説明時に関連される公知構成または機能に対する具体的な説明が本発明の要旨を濁ごすことがあると判断される場合には、その詳細な説明は略する。
【００１１】
図１は、本発明の一実施例による渦流現象を応用したほこり収去容器が装着された真空掃除機用ダニ捕執装置（以下、‘ダニ捕執装置’と略称する）の外観斜視図であり、図２は図１の分解斜視図であり、図３は図１のＡ-Ａ線断面図であり、図４は図１のＢ-Ｂ線断面図である。
【００１２】
本発明の実施例によるダニ捕執装置は、図２を参照すれば、下部ケース１００、リードカバー２００、上部ケース３００、ほこり収去容器（以下、‘ほこり容器’と略称する）４００、フィルタ５００、及び締結管６００を含む。
【００１３】
本発明の実施例による下部ケース１００は、中央部にほこり容器４００が安着されるように形成された収容溝１１０、その収容溝１１０に隣接した一側に底面で開放された吸入孔１２０、及びその収容溝１１０に接して吸入孔１２０に対応する他側に形成された締結管挿入部１３０を含む。
【００１４】
本発明の実施例によるリードカバー２００は、下部ケース１００の吸入孔１２０の上部を覆ってその吸入孔１２０を通じて底面から吸入される空気を前記収容溝１１０が形成された中央部側の一方向に案内して排出油路２１０を通じて排出することで、そのリードカバー２００には少なくとも一つ以上の孔２０１が形成されている。
【００１５】
図２の実施例でリードカバー２００に形成された孔２０１は、リードカバー２００の上面に円形で形成された孔２０１ａ及びリードカバー２００の側面下端に半円形で形成された孔２０１ｂをすべて含むが、これに限定されないでリードカバー２００には前述した円形の孔２０１ａ及び半円形の孔２０１ｂのうちで一つだけを形成することができる。
【００１６】
本発明の実施例による上部ケース３００は、リードカバー２００を含む下部ケース１００を覆うものであり、中央部に下部ケース１００の収容溝１１０に対応する収容孔３１０が形成されていて、図３及び図４に示されたように上部ケース３００とリードカバー２００との間には密閉空間７００が形成されているし、上部ケース３００とリードカバー２００にはその密閉空間７００と通じる少なくても一つ以上の孔３３１、２０１がそれぞれ形成されている。一例で、図１及び図２に示されたように前記密閉空間７００に対応する上部ケース３００の部分にその密閉空間７００を開放する開放口３２０を形成して、その開放口３２０を覆うフロントカバー３３０を設置して、そのフロントカバー３３０に密閉空間７００と通じる前記孔３３１を形成することができる。
【００１７】
本発明の実施例によるほこり容器４００は、上部ケース３００の収容孔３１０を通じて下部ケース１００の収容溝１１０に収容されて安着され、脱付着可能に設置されたものであり、図２に示されたように胴体４１０、該胴体４１０を覆う蓋４２０及び該蓋４２０の上面に形成されたオープン取っ手４３０を含んで、胴体４１０の一側には下部ケース１００の締結管挿入部１３０を通じて挿入された締結管６００の内部パイプ６１０の端部と連結される排出油路４１１が形成され、他側にはリードカバー２００によって一方向に案内されて排出油路２１０を通じて排出される空気を吸いこむ吸入油路４１３が形成されている。
【００１８】
本発明の実施例によるフィルタ５００は、ほこり容器４００内に排出油路４１１を通じて脱付着可能に挿入設置され、その排出油路４１１を通じてそのほこり容器４００の外部に排出される空気をフィルタリングするものであり、図２に示されたように円筒状のヘパ（ＨＥＰＡ:High Efficiency Particulate Air）フィルタ５１０、該ＨＥＰＡフィルタ５１０の外部を取り囲む円筒状のメッシュ（Mesh）フィルタ５２０及びそのフィルタら５１０、５２０が設置され、排出油路４１１に組み立てされるフィルタプレート５３０を含む。
【００１９】
本発明の実施例による締結管６００は、本発明の実施例による吸入ノズルを清掃機本体（図示せず）と連結するためのものであり、図２に示されたように下部ケース１００の締結管挿入溝１３０に結合される内部パイプ６１０とその内部パイプ６１０と連結される外部パイプ６２０を含んで、その外部パイプ６２０は多様な清掃機本体のパイプ(図示せず)と連結可能になるように複数個を具備して内部パイプ６１０から脱付着して入れ替え可能であるようにできる。
【００２０】
本発明の実施例による吸入ノズルの下部ケース１００の下部には、輪８００が設置されて容易に流動することができるようにする。
【００２１】
また、本発明の実施例によれば、図２に示されたように下部ケース１００の吸入孔１２０、上部ケース３００の孔３３１、及びリードカバー２００の孔２０１の順序で孔の大きさを相対的に小さく形成するようにするが、これに限定されない。
【００２２】
引き継いで、前述されたように本発明の一実施例によるダニ捕執用真空清掃機吸入ノズルの作用に対して説明する。
【００２３】
先ず、吸入ノズルの締結管６００を清掃機本体のパイプ（図示せず）に連結して清掃機本体を作動させれば、清掃機本体の吸入力によって図３及び図４に示されたように吸入ノズル内での空気流路（矢印参照）が形成される。すなわち、清掃機本体の吸入力によって吸入ノズルの吸入孔１２０を通じて空気と共にほこりのような異物が吸入される。そして、吸入孔１２０を通じて吸入された空気はリードカバー２００によって案内されて排出油路２１３及び吸入油路４１３を通じてほこり容器４００内部に流入され、ほこり容器４００に流入された空気はフィルタ５００を経ってほこりのような異物は、濾過された後に排出油路４１１、内部パイプ６１０及び外部パイプ６２０を通じて清掃機の本体側に流入される。
【００２４】
この時、異物が含まれた空気は、ほこり容器４００内に具備されたフィルタ５００を経りながら異物が１次的に濾過されるので、清掃機本体側に吸入される微細ほこりが低減され、本発明の実施例によるフィルタ５００はヘパ及びメッシュの二重フィルタを使用するので微細ほこりを著しく減らすようになる。
【００２５】
また、本発明の実施例によれば図３乃至図４に示されたように上部ケース３００または上部ケース３００のフロントカバー３１０とリードカバー２００との間には密閉空間７００が形成され、その上部ケース３００とリードカバー２００には密閉空間７００と連通する少なくとも一つ以上の孔３３１、２０１がそれぞれ形成されているが、このような構造的特徴によってフロントカバー３１０の孔３３１を通じて外部から吸入された空気は密閉空間７００内で渦流しながら循環しながら、リードカバー２００に形成された孔２０１に一部吸入されるので、下部ケース１００に形成された吸入孔１２０を通じて吸入される吸入力が寝具類が吸い込まれないように適切に調節される。すなわち、密閉空間７００内の空気が渦流循環を経った後リードカバー２００に形成された孔２０１に吸入（間接吸入）されるために、清掃機本体から作用する吸入力が布団が吸い込まれるほどにとても大きい場合に吸入孔１２０と連通されたリードカバー２００の孔２０１にも吸入力が一部分散されながら空気が吸入され、寝具類が吸い込まれなくなる。前述されたようにリードカバー２００の孔２０１を通じて吸入された空気は、密閉空間７００内で渦流循環後間接吸入される空気油路（これを、‘非流動的空気油路’と称する）を形成するので、吸入孔１２０を通じて直接吸入される空気油路（これを、‘流動的空気油路’と称する）の吸入力を直接的に邪魔しないながら、寝具類が吸い込まれないほどだけに分散するようになる。すなわち、リードカバー２００による流動的空気流路の伝達体系で空間内部の圧力大きさが小くなりながらリードカバー２００の孔２０１にも吸入力が一部分散される非流動的空気油路が形成され、これによる内部気圧差の吸入力値を計算することができるので、吸入孔１２０の大きさ、孔３３１、２０１の大きさと形成位置と個数、密閉空間７００の大きさ、及びリードカバー２００の誘導空間の大きさのうちで少なくとも一つ以上を相互有機的に適切に調節して、清掃機の作動時に流動的空気流路伝達体系が直接的に邪魔されないながら、非流動的空気油路の形成によって寝具類が吸入孔１２０を通じて吸い込まれないようにすることができる。
【符号の説明】
【００２６】
１００  下部ケース
１１０  収容溝
１２０  吸入孔
１３０  締結管挿入溝
２００  リードカバー
２１０  排出油路
２０１  孔
３００  上部ケース
３１０  収容孔
３２０  開放孔
３３０  フロントカバー
３３１  孔
４００  ほこり容器
４１０  胴体
４１１  排出油路
４１３  吸入油路
４２０  蓋
４３０  オープン取っ手
５００  フィルタ
５１０  ＨＥＰＡフィルタ
５２０  メッシュフィルタ
５３０  フィルタプレート
６００  締結管
６１０  内部パイプ
６２０  外部パイプ
７００  密閉空間
８００  輪
【図１】
2016067370.tif 000003
【図３】
2016067370.tif 000004
【図４】
2016067370.tif 000005
【図２】
2016067370.tif 000006